(57)【要約】【課題】  この発明は、蛍光成分を吸引保持し、紫外線の照射による蛍光発色を生じる植物および該植物を利用する装飾方法に関するものである。【解決手段】  蛍光成分を含有する溶液と植物を接触せしめて、植物の吸引機能により、植物組織内に蛍光成分を保持させる。【選択図】  図４
2005170020.tif 000002
【特許請求の範囲】
【請求項１】
蛍光成分を含有する溶液と接触し、植物の吸引機能により、前記蛍光成分を組織内に保持したことを特徴とする蛍光染色植物
【請求項２】
請求項１記載の蛍光成分を保持した蛍光染色植物に紫外光を照射して可視光を発光させることを特徴とする装飾方法
【請求項３】
異なった種類の蛍光成分を含有する溶液を複数の容器に分離して貯蔵して、植物に供給することを特徴とする蛍光染色植物用栽培容器
【請求項４】
蛍光成分とともに、液体肥料または植物活性液を含有したことを特徴とする蛍光染色植物用生育液
【請求項５】
請求項１記載の蛍光染色植物から切取った組織からなる工芸材料および前記工芸材料を使用した工芸品
【発明の詳細な説明】
【発明の詳細な説明】
【技術分野】
【０００１】  本発明は、インテリアあるいは園芸に用いる植物および該植物を利用する装飾方法に関する。
【背景技術】
【０００２】  従来、植物に染料を含有する水溶液を吸水せしめて、植物を着色することが行われてきた。例えば、小学校の理科の実験では、ホウセンカ、セロリ等の植物を食紅等の染料を含有する水に挿入し、植物の吸水機能で植物を染色することが広く行われている。また、特開２０００−２５４９０４には立木を染色する方法が提案されている。
【特許が解決しようとする課題】
【０００３】  しかし、前記のようにして染色された植物は、昼光下では染料の色を見ることができるが、自然の花の色と比較して特に美的な効果を得られるものではなかった。また、この染料の色にしても、日中の可視光下で見えるだけで、暗中あるいは低照度の照明下では染料の色を鑑賞することができなかった。
【０００４】  本発明は上記問題点を解消するもので、従来にはない美的な効果を、暗中あるいは低照度の照明下でも鑑賞することが可能な植物を提供するものである。
【課題を解決するための手段】
【０００５】  本願の第１の発明は、蛍光成分を含有する溶液と接触し、植物の吸引機能により、前記前記蛍光成分を組織内に保持した蛍光染色植物からなるものである。
【０００６】  本願の第２の発明は、前記蛍光成分を保持した蛍光染色植物に紫外光を照射して可視光を発光させることを特徴とする装飾方法からなるものである。
【０００７】  本願の第３の発明は、異なった種類の蛍光成分を含有する溶液を複数の容器に分離して貯蔵して、植物に供給することを特徴とする蛍光染色植物用栽培容器からなるものである。
【０００８】  本願の第４の発明は、蛍光成分とともに、液体肥料または植物活性液を含有したことを特徴とする蛍光染色植物用生育液からなるものである。
【０００９】  本願の第５の発明は、蛍光染色植物から切取った組織からなる工芸材料および前記工芸材料を使用した工芸品からなるものである。
【発明を実施するための最良の形態】
【００１０】  以下、本発明の詳細について説明する。図中の同一の番号は、同一の機能を有する。
本発明の第１の実施形態を図１に示して説明する。
図１は、鉢植え等の生育している植物への実施の１つの例である。
図１において、ヒヤシンスの球根１は、水栽培用のくびれた形状のガラス容器２の上部に置かれている。ガラス容器２の下部には蛍光染料を含有した水溶液３が貯蔵される。球根１は水溶液３と接触するように配置されると水溶液３を吸引して生育し、根４を出し、発芽し、花５を開花する。このヒヤシンスを暗中に置き、ブラックライト６で紫外線を照射すると、根、葉、花が蛍光色を発光し、組織内に蛍光成分を保持する植物とすることができた。【００１１】  また、この蛍光成分を保持したヒヤシンスとブラックライトを組み合わせた装飾品は、従来にない光る植物として、室内インテリアとしての価値を十分有するものである。【００１２】  水栽培の他の例として、皿の容器に平面上のスポンジを置き、蛍光染料を溶解した溶液を注入して、溶液を吸収した平面状スポンジにかいわれ大根等の種子を蒔き、発芽したもやしに蛍光染料を含有させたり、あるいはいわゆるテラニウムと呼ばれる方法を用い、蛍光染料を溶解した溶液を容器中に入れてポトス、カラジューム等の茎、葉が白色または淡色である植物を生育させて蛍光染料を含有させても良い。いづれの方法でも、得られた植物に暗中でブラックライトを照射して蛍光を発することができる。【００１３】  また、幸福の木、パキラ、ササ等の大型の観葉植物を水耕栽培として、蛍光染料を溶解した溶液を入れた大型の水耕容器で栽培して蛍光染料を吸引せしめ、ブラックライトの庭園灯で夜間に紫外線で植物を照明し、発光植物の庭園とすることで、従来にない庭園デザインを提供することも可能である。【００１４】  蛍光染料としてはどのようなものも使用可能である。例えば、水性の蛍光染料である日本化薬株式会社の商品名「Ｋａｙａｐｈｏｒ」、住化ケムテックス株式会社の商品名「Ｗｈｉｔｅｘ」等の蛍光染料等があり、これらを水に溶解して使用する。【００１５】  紫外線は一般に波長１０ｎｍ〜３８０ｎｍの光の総称であり、蛍光染料の吸収波長域の発光スペクトルを有するものであれば、どのようなものでも光源として使用し、暗中で蛍光染料を発光させることは可能である。しかしながら、波長によっては、人体への悪影響を及ぼすため、いわゆる近紫外線またはＵＶ−Ａと呼ばれる３１５ｎｍ〜４００ｎｍの波長の紫外線を発する紫外線ランプを使用することが好ましい。このような紫外線ランプとしては、例えばＮＥＣライティング株式会社より商品名「ブラックライトブルー（ＢＬ−Ｂ）」、東芝ライテック株式会社より商品名「ブラックライト蛍光ランプ」等が利用できる。【００１６】  本発明の第２の実施形態を図２に示して説明する。
図２は、切花への実施例の１つである。
図２において、切花である白いバラ１０ａ、１０ｂ、１０ｃの３本は、略円柱状の花瓶１１に隔離して挿入されている。花瓶１１は、底面まで連続する仕切り板１２により分室１１ａ、１１ｂ、１１ｃの３つに分割されている。
この３つの分室には、可視光下では無色であるが紫外線が当たるとブルー色光を発する蛍光顔料を分散した溶液が分室１１ａに、グリーンの色光を発する蛍光顔料を分散した溶液が分室１１ｂに、レッドの色光を発する蛍光顔料を分散した溶液が分室１１ｃに別々に入っている。【００１７】  花瓶１１上には図示しない支柱により保持された紫外線リングライト１３が配置される。紫外線リングライト１３は複数の紫外線ＬＥＤ１４を円周上に配置したものである。【００１８】  バラ１０ａ、１０ｂ、１０ｃを花瓶１１に挿入して一定時間経過せしめて、溶液を十分吸引させる。可視光下では、バラ１０ａ、１０ｂ、１０ｃはいずれも白色であり、色調に明確な差は見られなかった。その後、暗中で紫外線リングライト１４を発光すると、バラ１０ａはブルーに、バラ１０ｂはグリーンに、バラ１０ｃはレッドに各々挿入された溶液に含有された蛍光顔料と色を発光し、各々の蛍光顔料を保持していることが確認された。【００１９】  このような可視光下では同じ白色の花でありながら、紫外線下で花がまったく別の色の花に大きく変化することはインテリアとして絶大な効果をもたらす。【００２０】  本実施例では、各々の分室１１ａ、１１ｂ、１１ｃに別の花を挿入した例を示したが、１本の植物の茎を３分割し、その３つの茎を分室１１ａ、１１ｂ、１１ｃに別々に挿入しても良い。この場合、暗中で紫外線を照射すると１本の植物が部分毎に違う色に発光する。植物の種類によっては、１個の花が部分的に違う色に発光することも可能であり、従来にない新規なインテリアとすることが可能である。【００２１】  ここで用いた蛍光顔料としては種々のものが使用可能であるが、例えば可視光下では実質的に無色または白色であり、紫外線下で異なった色を発光するものとして、シンロイヒ株式会社より水性蛍光顔料として、グリーン発光の「ＭＬＣＢ−１２」、ブルー発光の「ＭＬＣＢ−１３」、レッド発光の「ＭＬＣＢ−１８」が販売されている。これらには、不可視性発光物質を含む樹脂粒子が水性エマルジョンとして含有されており、前記した蛍光顔料の粒子の平均粒子径は０．１ミクロンと非常に小さいため、植物内部に容易に吸引される。【００２２】  ここで用いた溶液は、蛍光成分とともに、チッソ、リン、カリウム等を含む液体肥料または植物活性液を含有せしめた蛍光染色植物用生育液とすることにより、蛍光成分を植物に吸引させると同時に植物の生育を増進させる効果を得ることができる。このように単一の溶液とすることにより、蛍光成分と栄養成分を別個に供給する容器または装置を準備する必要がないため、植物の生育容器を安価かつ小型にすることが可能になる。【００２３】  本実施例では、紫外線ＬＥＤを紫外線光源として使用した。紫外線ＬＥＤは小型軽量であり、低電圧の直流電圧を印加するだけで、高強度の紫外線を発光するため照明装置をコンパクトにすることができるとともに、種々の形状の紫外線照射装置を製作できるため、本発明のように形状が様々な植物を照射するためには非常に有効な光源である。このような、紫外線ＬＥＤのデバイスとしては、例えばナイトライド・セミコンダクター株式会社より、ＮＳ３６５Ｄ（ピーク波長３６５ｎｍ）、ＮＡ３７０Ｄ（���ーク波長３７０ｎｍ）、ＮＳ３７５Ｄ（ピーク波長３７５ｎｍ）が販売されている。【００２４】  さらに、この蛍光顔料を吸引保持したバラ１０ａ、１０ｂ、１０ｃを取り出して乾燥させ、ドライフラワーとして、工芸用材料を作成した。３本とも花の色は褪せてはいるが、いづれの花も昼光下では同様にほぼ白色であり、どの花の色も目視では色調に明確な差は見られなかった。【００２５】  このバラのドライフラワーと松笠等を組み合わせてリング状としてクリスマスリースの工芸品を作成した。日中は、通常の白色のバラのドライフラワーのクリスマスリースであるが、夜間照明を落として、ブラックライトを照射すると、白いバラの花がブルー、グリーン、レッドの違う色の発光し、従来にない神秘的な効果を得ることができた。【００２６】  このような、工芸材料の製作方法として、通常の植物を乾燥した後に蛍光塗料等の溶液を外部からドライフラワーに塗布することでも可能であるが、いったん乾燥させたものが溶液で濡れるために、再度乾燥させなければならないため、工程が増えコストアップとなる。【００２７】  また、蛍光塗料等を塗布して製作する場合、複雑な形状のドライフラワーに自然な状態となるように蛍光塗料等を塗布するには、かなりの手間がかかり、スプレー等で噴霧する場合には、高価な蛍光塗料等の多くを無駄に消費するためコストアップとなる。さらに、塗布の際、ドライフラワーの花びら等を破損して商品価値を減ずるという問題が生ずる。これに対して、本発明の方法ではこのような問題を回避することができる。【００２８】  他の工芸材料としては、暗中のブラックライトの照明下で、花弁が発光する押し花、葉脈が発光する押し葉等の種々の形態の工芸材料の製作が可能である。【００２９】  本発明の第３の実施形態を図３に示して説明する。
図３は、立木への実施例の模式的な図である。
立木２１の周囲には、溶液タンク２２ａ、２２ｂ、２２ｃが図示しない架台により保持されており、溶液タンク２２ａ、２２ｂ、２２ｃの底部からはビニール製のパイプ２３が出ている。立木２１にはドリルで必要な個数の孔２４が穿孔されており、この孔２４にパイプ２３を接続する。この孔は根から吸引された水分や栄養分を供給する木の組織である道菅に接続するごとく穿孔されている。溶液タンク２２ａには、沈降しないように細かく粉砕された紫色に発光する蓄光顔料の微粒子を分散した溶液が貯蔵される。溶液タンク２２ｂには同様に緑色に発光する蓄光顔料の微粒子を分散した溶液が貯蔵される。溶液タンク２２ｃには蓄光顔料ではなく、通常の染料である赤色染料を溶解した染料液が貯蔵される。【００３０】  立木２１の植物活動により、溶液タンク２２ａ、２２ｂ、２２ｃから溶液が立木２１の内部に吸引されるので、溶液タンク２２ａ、２２ｂ、２２ｃには適宜必要な量の溶液を追加供給する。また、蓄光性顔料は、比重が重いため、溶液中での沈降しやすいため、これを防止するため、溶液を随時撹拌する撹拌装置を付加しても良い。【００３１】  樹木の種類や気候等の条件によって変化するが、１週間から１ヵ月程度経過して立木２１が十分な量の溶液を吸引した後立木２１を伐採する。伐採後、製材したところ、孔２４の近傍およびその上部より切出した木材の切り口には、昼光下では溶液タンク２２ｃの赤色染料で染まった部分のみが形成され明瞭に判別できるが、溶液タンク２２ａ、２２ｂの蓄光性顔料が保持されている部分を目視で明確に判断することは困難であった。一方、夜間の暗中においては、この木材の切り口に蓄光性顔料の紫色および緑色に発光する部分が現れた。【００３２】  切出した木材を十分乾燥させた後、適当な大きさに切断して工芸用材料とすることができる。木材に保持された染料、蓄光性顔料の形状にふさわしいようにデザインして、花瓶、ブローチ、イス、テーブル等の工芸品を製作する。【００３３】  これらの工芸品は、昼間に明るいところに置いておけば、夜になると蓄光性顔料が自動的に発光するため、従来にない装飾的価値を付加した工芸品とすることが可能である。また、ブラックライト等の特別な照明が不要となる。【００３４】  このように立木を染色して得られた木材を使用した工芸品は、いわゆる立木染めと呼ばれ、食器、家具、アクセサリー等が製作されてきたが、本発明のように蛍光発光を利用したものは見受けられない。【００３５】  これらの蓄光性顔料は、昼間照射される光強度が強いほど夜間の発光強度が増すため、戸外に配置される、木製のベンチ、建物の外壁、表札、公園の遊具、道路標識、道路の手摺り等に蓄光性顔料を保持した木材を使用すれば、夜間の発光による従来にない装飾的な効果を得ることができるとともに、特別な照明装置を設置することなく、夜間での注意喚起および危険防止に役立つため、非常に有効である。【００３６】  蓄光性顔料は、日中の照射された光のエネルギーを吸収し、夜間に発光するものであり、例えば、根本特殊化学株式会社より、アルミン酸塩化合物を主成分とする蓄光性蛍光体が、Ｎ発光（ルミノーバ）として販売されており、中でも平均粒径が約４ミクロンと小さい、商品名「Ｌ���ｍｉＮｏｖａ  ＢＧＬ−３００ＦＦ」や「ＬｕｍｉＮｏｖａ  ＧＬＬ−３００ＦＦ」は、木材への吸引性が良好で好的に使用される。また、水中での使用に対応して、顔料の耐水度が不十分な場合には、必要に応じて蓄顔料の表面に耐水性のコーティング処理を行うのが良い。【００３７】  本発明の第４の実施形態を図４に示して説明する。
図４は、いわゆるテラリウムと呼ばれるカプセル状容器での植物栽培方法への適用の概略の断面図である。
テラリウム３１は基本的には、水受皿３２と上ふた３９で密閉された空間で植物３５を栽培するものである。透明プラスチック製の曲面状の水受皿３２が台３３上に配置される。多数の穴の開いた植付皿３４が水受皿３２上に内接するごとく置かれる。植付皿３４上に、数種類の植物３５が植付けられる。植物３５はミズゴケ等の吸水性の栽培用土３６中に根を伸ばしている。植付皿３３上には保水材３７が充填されている。植付皿３３には、蛍光染料を含有した植物生育用の水溶液３８が供給される。透明プラスチック製の曲面状の上ふた３９が水受皿３２に内接して取り付けられる。上ふた３９で覆われることで、植物３５は生育に適度な湿度環境に保たれる。但し、湿度が高すぎると結露を生じてしまうので、換気のための必要に応じて換気孔４０が設けられる。上ふた３９の上部には、ＵＶユニット４１が配置される。ＵＶユニット４１中には、乾電池４２と電子回路４３が入っている。ＵＶユニット４１の下部には紫外線ＬＥＤ４４が、上部には光センサー４５が取り付けられる。【００３８】  植物３５が生育していくと水溶液３８が吸引されて、蛍光染料が植物３５の組織内に取り込まれていく。ＵＶユニット４１の光センサー４５は、周囲環境の明るさを検知しており、夕方になり、テラリウムの周囲が暗くなり、設定した値よりも明るさが低下すると電子回路４３により自動的に電圧が紫外線ＬＥＤ４４に印加され、紫外線が植物３５に照射される。これにより、蛍光染料を含有した植物３５が発光する。同時に、溶液３８も発光し、幻想的なインテリアとして利用される。【００３９】  本実施例のように、紫外線ＬＥＤを使用すると、小型軽量で、乾電池で動作可能であり、どのような場所でも使用できる。例えば、台３３を吸盤とし保水材３７を吸水性のスポンジとすれば、振動にも耐えられるので、自動車内で使用する植物インテリアとして提供することが可能である。【００４０】  本発明で使用される植物は、蛍光成分を含有する溶液を吸引する機能を有するものであれば、草本類、木本類等どのような種類でものでも利用できる。また、分類学上は菌類とされるきのこ類も本発明での植物に含まれる。さらに、鉢植え、立木等の生育中のものだけではなく、根を切断した後でも依然として吸水機能を有する切花等の植物も含まれる。【００４１】  例えば、ヒヤシンス、クロッカス、チューリップ等の球根類、葉牡丹、ポインセチア、ハゲイトウ、カラジウム、ドラセナ、ポトス、オリズルラン、ベゴニア、シュロチク、シダ等の観葉植物、バラ、菊、カスミソウ、水仙、百合等の花卉類、サツマイモ、サトイモ、かいわれ大根、セロリ等の野菜類、ササ、マダケ、モウソウチク等の竹類が使用できるが、蛍光成分を保持せしめた後、明瞭な発光効果を得るために、少なくとも葉、花等の一部が白色あるいは淡色の植物が好ましい。【００４２】  樹木としては、スギ、ヒノキ等の針葉樹、ケヤキ、エゴノキ等の広葉樹等の種々の樹木が使用できるが、有効な発光効果をえるためには、白色の材質の木材が好ましい。【００４３】  本発明における蛍光成分としては、蛍光染料、蛍光顔料、蓄光顔料等が用いられる。溶解、微粒子あるいはエマルジョンとして分散等種々の形態で利用可能がある。【００４４】  本発明における蛍光成分を含有する溶液としては、生育している植物に使用する場合には、溶媒として水だけを使用することが望ましいが、アルコール類のような水に溶解する溶媒との混合物としても良い。あるいは、切花等に吸引させた後に生育が停止しても良い場合には、植物が吸引可能でさえあれば、非水系の溶媒を使用しても良い。【００４５】  本発明における工芸品としては、生け花、花束、リース、コサージュ等の飾り物、花器やお盆等の木製の器、ブローチ、ブレスレット等のアクセサリー、正月の門松や松飾り等の縁起物など植物を材料として製作される種々のものがある。
【発明の効果】
【００４６】  本発明によれば、蛍光成分を植物に吸引せしめて、植物内部に蛍光成分を保持させ、暗中で紫外線を植物に照射することによる蛍光染料、蛍光顔料を発光させる、あるいは蓄光性顔料の自発光により植物を発光させることにより、植物の新規な装飾効果を得ることができる。
【図面の簡単な説明】
【図１】  本発明の第１の実施形態に係わる鉢植えの植物への実施例の断面図である。
【図２】  本発明の第２の実施形態に係わる切花への実施例の斜視図である。
【図３】  本発明の第３の実施形態に係わる立木への実施例の斜視図である。
【図４】  本発明の第４の実施形態に係わるテラリウムへの実施例の断面図である。
【符号の説明】
１  球根
２  ガラス容器
６  ブラックライト
１１  花瓶
１２  仕切り板
１３  紫外線リングライト
１４  紫外線ＬＥＤ
２１  立木
２２ａ、２２ｂ、２２ｃ  溶液タンク
３１  テラリウム
４１  ＵＶユニット
【図１】
2005170020.tif 000003
【図２】
2005170020.tif 000004
【図３】
2005170020.tif 000005
【図４】
2005170020.tif 000006